【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
次の化学式：
【化１】
2004323844.tif 000001
で表されることを特徴とする着色剤化合物。
【請求項２】
次の化学式：
【化２】
2004323844.tif 000002
で表されることを特徴とする着色剤化合物。
【請求項３】
次の一般式：
【化３】
2004323844.tif 000003
（式中、Ｒ、Ｒ1、Ｒ2、Ｒ3、及びＲ4の各々は、互いに独立に、アルキル基、アリール基、アリールアルキル基、又はアルキルアリール基であり、Ｒ、Ｒ1、Ｒ2、Ｒ3、及びＲ4の各々はフェニル部分に結合されて環を形成することができ、Ｒ’a、Ｒ’b、及びＲ’cの各々は、互いに独立に、ハロゲン原子、アルキル基、アルコキシ基、ニトリル基、ニトロ基、アミド基、又はスルホンアミド基であり、ｚ１、ｚ２及びｚ３の各々は、互いに独立に、０、１、２、３又は４の整数であり、ｎは、各アルキレンオキシド繰返し単位における炭素原子の数を表わす整数であり、ｘはアルキレンオキシド繰返し単位の数を表わす整数であり、Ｄはアニオンであり、ｇはアニオンの電荷である。）
で表される部分を２つ又はそれ以上含む化合物であって、前記部分の各々は、−ＯＨ基、−ＳＨ基、或いは第１級又は第２級アミノ基を含まず、前記部分は、中心原子又は原子団により連結され又はポリマーに結合されることを特徴とする化合物。
【請求項４】
前記部分が、原子団により連結されるか又はイソシアネートから誘導されたポリマーに結合されることを特徴とする請求項３に記載の化合物。
【請求項５】
（ａ）次の一般式：
【化４】
2004323844.tif 000004
（式中、Ｒ、Ｒ1、Ｒ2、Ｒ3、及びＲ4の各々は、互いに独立に、アルキル基、アリール基、アリールアルキル基、又はアルキルアリール基であり、Ｒ、Ｒ1、Ｒ2、Ｒ3、及びＲ4の各々はフェニル部分に結合されて環を形成することができ、Ｒ’a、Ｒ’b、及びＲ’cの各々は、互いに独立に、ハロゲン原子、アルキル基、アルコキシ基、ニトリル基、ニトロ基、アミド基、又はスルホンアミド基であり、ｚ１、ｚ２及びｚ３の各々は、互いに独立に、０、１、２、３又は４の整数であり、ｎは、各アルキレンオキシド繰返し単位における炭素原子の数を表わす整数であり、ｘはアルキレンオキシド繰返し単位の数を表わす整数であり、Ｄはアニオンであり、ｇはアニオンの電荷である。）で表される着色剤化合物であって、１分子当り１つより多くない−ＯＨ、−ＳＨ、或いは第１級又は第２級アミノ基を有する着色剤と（ｂ）モノイソシアネートとの反応生成物であることを特徴とする化合物。
【請求項６】
前記モノイソシアネートが、オクタデシルイソシアネート、ヘキサデシルイソシアネート、オクチルイソシアネート、ブチル及びｔ−ブチルイソシアネート、シクロヘキシルイソシアネート、アダマンチルイソシアネート、エチルイソシアナトアセテート、エトキシカルボニルイソシアネート、フェニルイソシアネート、アルファメチルベンジルイソシアネート、２−フェニルシクロプロピルイソシアネート、ベンジルイソシアネート、２−エチルフェニルイソシアネート、ベンゾイルイソシアネート、メタ及びパラ−トリルイソシアネート、２−、３−又は４−ニトロフェニルイソシアネート、２−エトキシフェニルイソシアネート、３−メトキシフェニルイソシアネート、４−メトキシフェニルイソシアネート、エチル４−イソシアナトベンゾエート、２，６−ジメチルフェニルイソシアネート、１−ナフチルイソシアネート、（ナフチル）エチルイソシアネート、又はこれらの混合物であることを特徴とする請求項５に記載の化合物。
【請求項７】
前記イソシアネートがジイソシアネートであることを特徴とする請求項４に記載の化合物。
【請求項８】
前記ジイソシアネートが、イソホロンジイソシアネート、トルエンジイソシアネート、ジフェニルメタン−４，４’−ジイソシアネート、水素化ジフェニルメタン−４，４’−ジイソシアネート、テトラ−メチルキシレンジイソシアネート、ヘキサメチレン−１，６−ジイソシアネート、ヘキサメチレン−１，６−ジイソシアネート、ナフチレン−１，５−ジイソシアネート、３，３’−ジメトキシ−４，４’−ビフェニルジイソシアネート、３，３’−ジメチル−４，４’−ビメチル−４，４’−ビフェニルジイソシアネート、フェニレンジイソシアネート、４，４’−ビフェニルジイソシアネート、トリメチルヘキサメチレンジイソシアネート、テトラメチレンキシレンジイソシアネート、４，４’−メチレンビス（２，６−ジエチルフェニルイソシアネート）、１，１２−ジイソシアナトドデカン、１，５−ジイソシアナト−２−メチルペンタン、１，４−ジイソシアナトブタン、シクロヘキシレンジイソシアネート又はその異性体、ヘキサメチレン−１，６−ジイソシアネートのウレチジオンダイマー、又はこれらの混合物であることを特徴とする請求項７に記載の化合物。
【請求項９】
前記イソシアネートがトリイソシアネート又はポリイソシアネートであることを特徴とする請求項４に記載の化合物。
【請求項１０】
前記部分がポリマーに結合されることを特徴とする請求項３に記載の化合物。
【請求項１１】
前記ポリマーがポリウレタンであることを特徴とする請求項１０に記載の化合物。
【請求項１２】
前記ポリマーが無水物ポリマーであることを特徴とする請求項１０に記載の化合物。
【請求項１３】
前記無水物ポリマーが環状無水物のポリマーであることを特徴とする請求項１２に記載の化合物。
【請求項１４】
前記無水物ポリマーがアルキルコハク酸無水物又はアルケニルコハク酸無水物のポリマーであることを特徴とする請求項１２に記載の化合物。
【請求項１５】
前記無水物ポリマーが、無水マレイン酸、２，３−ジフェニル無水マレイン酸、無水トリメリット酸、２−フェニル無水グルタル酸、無水ホモフタル酸、無水イサトイン酸、ｎ−メチル無水イサトイン酸、５−クロロ無水イサトイン酸、無水フタル酸、３，３’，４，４’−ベンゾフェノンテトラカルボン酸二無水物、４−メチル無水フタル酸、４，４’−（ヘキサフルオロイソプロピリジン）−無水ジフタル酸、３，６−ジフルオロ無水フタル酸、３，６−ジクロロ無水フタル酸、４，５−ジクロロ無水フタル酸、テトラフルオロ無水フタル酸、テトラクロロ無水フタル酸、テトラブロモ無水フタル酸、３−ヒドロキシ無水フタル酸、１，２，４−ベンゼン無水トリカルボン酸、３−ニトロ無水フタル酸、４−ニトロ無水フタル酸、１，２，４，５−ベンゼンテトラカルボン酸二無水物、無水ジフェン酸、１，８−無水ナフタル酸、４−クロロ−１，８−無水ナフタル酸、４−ブロモ−１，８−無水ナフタル酸、４−アミノ−１，８−無水ナフタル酸、３−ニトロ−１，８−無水ナフタル酸、４−ニトロ−１，８−無水ナフタル酸、４−アミノ−３，６−ジスルホ−１，６−ジスルホ−１，８−無水ナフタル酸ジカリウム塩、１，４，５，８−ナフタレンテトラカルボン酸二無水物、３，４，９，１０−ペリレンテトラカルボン酸二無水物、シス−１，２，３，６−テトラヒドロ無水フタル酸、シス−５−ノルボルネン−エンド−２，３−無水ジカルボン酸、エンド−ビシクロ［２，２，２］オクト−５−エン−２，３−無水ジカルボン酸、カンタリジン、メチル−５−ノルボルネン−２，３−無水ジカルボン酸、エキソ−３，６−エポキシ−１，２，３，６−テトラヒドロ無水フタル酸、ｓ−アセチルメルカプト無水コハク酸、ジアセチル無水酒石酸、ビシクロ［２，２，２］オクト−７−エン−２，３，５，６−テトラカルボン酸二無水物、無水シトラコン酸、２，３−ジメチル無水マレイン酸、１−シクロペンテン−１，２−無水ジカルボン酸、３，４，５，６−テトラヒドロ無水フタル酸、無水ブロモマレイン酸、無水ジクロロマレイン酸、１，４，６，７，７−ヘキサクロロ−５−ノルボルネン−２，３−無水ジカルボン酸、シス−無水アコニット酸、無水グルタル酸、３−メチル無水グルタル酸、２，２−ジメチル無水グルタル酸、３，３−ジメチル無水グルタル酸、３−エチル−３−メチル無水グルタル酸、３，３−テトラメチレン無水グルタル酸、ヘキサフルオロ無水グルタル酸、３，５−ジアセチルテトラヒドロピラン−２，４，６−トリオン、エチレンジアミン四酢酸二無水物、ジエチレントリアミンペンタ酢酸二無水物、無水ジグリコール酸、無水コハク酸、メチル無水コハク酸、２，２−ジメチル無水コハク酸、イソブテニル（ｂｕｔｅｎｅｙｌ）無水コハク酸、２−オクテン−１−イル無水コハク酸、オクタデセニル無水コハク酸、３−オキサビシクロ［３，１，０］ヘキサン−２，４−ジオン、シス−１，２−シクロヘキサン無水ジカルボン酸、トランス−１，２−シクロヘキサン無水ジカルボン酸、ヘキサヒドロ−４−メチル無水フタル酸、無水イタコン酸、２−ドデセン−１−イル無水コハク酸、又はこれらの混合物のポリマーであることを特徴とする請求項１２に記載の化合物。
【請求項１６】
前記無水物ポリマーが無水物とスチレン、ブタジエン、メトキシビニルエーテル、エチレン、アルファ−オレフィン、又はこれらの混合物とのコポリマーであることを特徴とする請求項１２に記載の化合物。
【請求項１７】
前記無水物ポリマーが、ポリ（メチルビニルエーテル−マレイン酸）、ポリ（アクリル酸−コ−マレイン酸）、ポリ（塩化ビニル−コ−ビニル−アセテート−コ−マレイン酸）、ポリ（エチレン−無水マレイン酸）、ポリ（無水マレイン酸−１−オクタデセン）、ポリ（スチレン−コ−無水マレイン酸）、ポリ（メチルビニルエーテル−無水マレイン酸）、ポリ（エチレン−コ−エチルアクリレート−コ−無水マレイン酸）、ポリ（エチレン−コ−ビニルアセテート）−グラフト−無水マレイン酸、ポリエチレン−グラフト−無水マレイン酸、又はポリプロピレン−グラフト−無水マレイン酸であることを特徴とする請求項１２に記載の化合物。
【請求項１８】
相変化キャリアと、次の一般式：
【化５】
2004323844.tif 000005
（式中、Ｒ、Ｒ1、Ｒ2、Ｒ3、及びＲ4の各々は、互いに独立に、アルキル基、アリール基、アリールアルキル基、又はアルキルアリール基であり、Ｒ、Ｒ1、Ｒ2、Ｒ3、及びＲ4の各々はフェニル部分に結合されて環を形成することができ、Ｒ’a、Ｒ’b、及びＲ’cの各々は、互いに独立に、ハロゲン原子、アルキル基、アルコキシ基、ニトリル基、ニトロ基、アミド基、又はスルホンアミド基であり、ｚ１、ｚ２及びｚ３の各々は、互いに独立に、０、１、２、３又は４の整数であり、ｎは、各アルキレンオキシド繰返し単位における炭素原子の数を表わす整数であり、ｘはアルキレンオキシド繰返し単位の数を表わす整数であり、Ｄはアニオンであり、ｇはアニオンの電荷である。）
で表される部分を２つ又はそれ以上含む着色剤化合物とからなる相変化インクであって、前記着色剤化合物が前記部分のうち正確に１つを含むときには、前記部分は−ＯＨ、−ＳＨ、もしくは第１級又は第２級アミノ基を１分子当り１つより多く含まず、前記着色剤化合物が前記部分を１つより多く含むときには、前記部分の各々は、−ＯＨ基、−ＳＨ基、もしくは第１級又は第２級アミノ基を含まないことを特徴とする相変化インク。
【請求項１９】
前記相変化インクキャリアがモノアミド、テトラ−アミド、又はこれらの混合物を含むことを特徴とする請求項１８に記載の相変化インク。
【請求項２０】
前記相変化インクキャリアが（ａ）ステアリルステアルアミド、（ｂ）ダイマー酸とエチレンジアミンとステアリン酸との反応生成物である、ダイマー酸ベースのテトラアミド、又は（ｃ）これらの混合物を含むことを特徴とする請求項１８に記載の相変化インク。
【請求項２１】
前記相変化インクキャリアが（ａ）ステアリルステアルアミド、（ｂ）ダイマー酸とエチレンジアミンと少なくとも約３６個の炭素原子を有するカルボン酸との反応生成物である、ダイマー酸ベースのテトラアミド、又は（ｃ）これらの混合物を含むことを特徴とする請求項１８に記載の相変化インク。
【請求項２２】
前記カルボン酸が少なくとも約４０個の炭素原子を有し、該カルボン酸が約２００個より多い炭素原子を含まないことを特徴とする請求項２１に記載の相変化インク。
【請求項２３】
前記相変化インクキャリアがイソシアネートから誘導される材料を含むことを特徴とする請求項１８に記載の相変化インク。
【請求項２４】
前記相変化インクキャリアがウレタンイソシアネートから誘導される材料、ウレアイソシアネートから誘導される材料、ウレタン／ウレアイソシアネートから誘導される材料、又はこれらの混合物を含むことを特徴とする請求項１８に記載の相変化インク。
【請求項２５】
前記相変化インクキャリアが１つ又はそれ以上のアミドと１つ又はそれ以上のイソシアネート由来の材料との混合物を含むことを特徴とする請求項１８に記載の相変化インク。
【請求項２６】
前記相変化インクキャリアがパラフィン、マイクロクリスタリンワックス、ポリエチレンワックス、エステルワックス、アミドワックス、脂肪酸、脂肪アルコール、脂肪アミド、スルホンアミド材料、トール油ロジン、ロジンエステル、エチレン／ビニルアセテートコポリマー、エチレン／アクリル酸コポリマー、エチレン／ビニルアセテート／アクリル酸コポリマー、アクリル酸とポリアミドとのコポリマー、アイオノマー、及びこれらの混合物から成る群から選択される１つ又はそれ以上の材料を含むことを特徴とする請求項１８に記載の相変化インク。
【請求項２７】
前記インクキャリアが（ａ）ポリエチレンワックス、（ｂ）ステアリルステアルアミドワックス、（ｃ）ダイマー酸とエチレンジアミンと少なくとも約３６個の炭素原子を有するカルボン酸との反応生成物である、ダイマー酸ベースのテトラ−アミド、（ｄ）２当量のハイドロアビエチルアルコールと１当量のイソホロンジイソシアネートとの反応から誘導されるウレタン樹脂、（ｅ）３当量のステアリルイソシアネートとグリセロールベースのアルコールとの付加物であるウレタン樹脂、及び（ｆ）酸化防止剤を含むことを特徴とする請求項１８に記載の相変化インク。
【請求項２８】
前記インクキャリアが（ａ）インクの少なくとも約２５重量パーセントの量で、インクの約６０重量パーセントより多くない量のポリエチレンワックス、（ｂ）インクの少なくとも約８重量パーセントの量で、インクの約３２重量パーセントより多くない量のステアリルステアルアミドワックス、（ｃ）インクの少なくとも約１０重量パーセントの量で、インクの約３２重量パーセントより多くない量の、ダイマー酸とエチレンジアミンと少なくとも約３６個の炭素原子を有するカルボン酸との反応生成物である、ダイマー酸ベースのテトラ−アミド、（ｄ）インクの少なくとも約６重量パーセントの量で、インクの約１６重量パーセントより多くない量の、２当量のハイドロアビエチルアルコールと１当量のイソホロンジイソシアネートとの反応から誘導されるウレタン樹脂、（ｅ）インクの少なくとも約２重量パーセントの量で、インクの約１３重量パーセントより多くない量の、３当量のステアリルイソシアネートとグリセロールベースのアルコールとの付加物であるウレタン樹脂、及び（ｆ）インクの少なくとも約０．０１重量パーセントの量で、インクの約１重量パーセントより多くない量の酸化防止剤を含むことを特徴とする請求項１８に記載の相変化インク。
【請求項２９】
（１）相変化インクキャリアと、次の一般式：
【化６】
2004323844.tif 000006
（式中、Ｒ、Ｒ1、Ｒ2、Ｒ3、及びＲ4の各々は、互いに独立に、アルキル基、アリール基、アリールアルキル基、又はアルキルアリール基であり、Ｒ、Ｒ1、Ｒ2、Ｒ3、及びＲ4の各々はフェニル部分に結合されて環を形成することができ、Ｒ’a、Ｒ’b、及びＲ’cの各々は、互いに独立に、ハロゲン原子、アルキル基、アルコキシ基、ニトリル基、ニトロ基、アミド基、又はスルホンアミド基であり、ｚ１、ｚ２及びｚ３の各々は、互いに独立に、０、１、２、３又は４の整数であり、ｎは、各アルキレンオキシド繰返し単位における炭素原子の数を表わす整数であり、ｘはアルキレンオキシド繰返し単位の数を表わす整数であり、Ｄはアニオンであり、ｇはアニオンの電荷である。）
で表される部分を２つ又はそれ以上含む着色剤化合物とからなる相変化インク組成物をインクジェット印刷装置に組み入れる工程であって、前記着色剤化合物が前記部分のうち正確に１つを含むときには、前記部分は−ＯＨ、−ＳＨ、もしくは第１級又は第２級アミノ基を１分子当り１つより多く含まず、前記着色剤化合物が前記部分を１つより多く含むときには、前記部分の各々は、−ＯＨ基、−ＳＨ基、もしくは第１級又は第２級アミノ基を含まない、前記工程、
（２）前記インクを溶融させる工程、及び
（３）前記溶融したインクの液滴を画像的パターンで基体上に吐出する工程、
を含む方法。
【請求項３０】
前記基体が最終記録シートであり、前記溶融したインクの液滴が画像的パターンで前記最終記録シートの上に直接吐出されることを特徴とする請求項２９に記載の方法。
【請求項３１】
前記基体が中間転写部材であり、前記溶融したインクの液滴が画像的パターンで前記中間転写部材の上に吐出され、次いで画像的パターンで前記中間転写部材から最終記録シートに転写されることを特徴とする請求項２９に記載の方法。
【請求項３２】
前記中間転写部材が前記最終記録シートより高い温度、かつ前記印刷装置内の前記溶融したインクより低い温度に加熱されることを特徴とする請求項３１に記載の方法。
【請求項３３】
前記印刷装置が圧電インクジェット工程を用い、前記インクの液滴が圧電振動素子の振動によって画像的パターンで吐出させられることを特徴とする請求項２９に記載の方法。